(57)【特許請求の範囲】
【請求項１】
走行機体下面にロータリーモアを装着し、前記走行機体下面のうち一対の後車輪に、前記ロータリーモアの芝草排出ダクトを後方に延設する芝刈機において、
前記芝草排出ダクトの後端にデフレクタを配設し、前記芝草排出ダクトからの芝草を前記デフレクタ内に受け入れたのち、前記デフレクタ下面の芝草放出口より地面に前記芝草を放出する一方、前記デフレクタ下面の芝草放出口を、前記走行機体の走行方向に対して前後及び左右方向に移動自在に構成する構造であって、
前記デフレクタは、前記芝草排出ダクトに嵌合する第１デフレクタと、この第１デフレクタに装着される第２デフレクタとで構成され、前記芝草排出ダクトの上面に沿って後方に突出する第１支持軸を前記走行機体に固着し、前記走行機体に前記第１支持軸を介して前記第１デフレクタを支持し、前記第１支持軸を中心にして前記第１デフレクタを回動可能に構成する一方、
前記第１デフレクタの上面に横方向に延びるように第２支持軸を固着し、前記第１デフレクタに第２支持軸を介して前記第２デフレクタを支持し、前記第２支持軸を中心にして前記第２デフレクタを前後方向に回動可能に構成したことを特徴とする乗用型芝刈機。
【発明の詳細な説明】
【技術分野】
【０００１】
本発明は、作業者が乗って操縦するようにした走行機体に、当該走行機体に搭載したエンジンにて回転駆動されるロータリーモアを装着して成る乗用型の芝刈機に関するものである。
【背景技術】
【０００２】
従来、この種の芝刈機は、作業者が乗って操縦するようにした走行機体における下面のうち当該走行機体を支持する一対の前車輪と一対の後車輪との間に部位に、ロータリーモアを装着し、このロータリーモアを、前記走行機体に搭載したエンジンからの動力伝達によって駆動することで、下面における芝草の刈取を行い、刈取り芝草を前記走行機体の側方に放出するという構成にしていたが、刈取り芝草を走行機体の側方に放出することは、刈取り芝草が前記走行機体に搭乗する作業者に対して降りかかるおそれが大きいという問題がある。
【０００３】
そこで、先行技術としての特許文献１は、作業者が乗って操縦するようにした走行機体における下面のうち当該走行機体を支持する一対の前車輪と一対の後車輪との間に部位にロータリーモアを装着して成る芝刈機において、前記走行機体における下面のうち前記一対の後車輪の間の部位に、前記ロータリーモアにおける刈取り芝草に対する芝草排出ダクトを後方に延びるように設けて、この芝草排出ダクトの後端を後方に向かって開口することにより、前記刈取り芝草を後方に放出するように構成することを提案している。
【特許文献１】特開平２００３−２３８３１号公報
【発明の開示】
【発明が解決しようとする課題】
【０００４】
しかし、前記した先行技術による構成であると、刈取り芝草の作業者への降りかかりを少なくすることができるものの、前記刈取り芝草の地面に対する散布位置が常に同じ位置に限られることになるから、例えば、道路際における芝刈り時においては、刈取り芝草を、本来刈取り芝草を散乱してはならない道路面に飛散する事態が発生することになるというように、前記刈取り芝草の地面に対する散布位置を任意に変更することができないという問題があった。
【０００５】
本発明は、この問題を解消した乗用型芝刈機を提供することを技術的課題とするものである。
【課題を解決するための手段】
【０００６】
この技術的課題を達成するため本発明の請求項１は、走行機体下面にロータリーモアを装着し、前記走行機体下面のうち一対の後車輪に、前記ロータリーモアの芝草排出ダクトを後方に延設する芝刈機において、前記芝草排出ダクトの後端にデフレクタを配設し、前記芝草排出ダクトからの芝草を前記デフレクタ内に受け入れたのち、前記デフレクタ下面の芝草放出口より地面に前記芝草を放出する一方、前記デフレクタ下面の芝草放出口を、前記走行機体の走行方向に対して前後及び左右方向に移動自在に構成する構造であって、前記デフレクタは、前記芝草排出ダクトに嵌合する第１デフレクタと、この第１デフレクタに装着される第２デフレクタとで構成され、前記芝草排出ダクトの上面に沿って後方に突出する第１支持軸を前記走行機体に固着し、前記走行機体に前記第１支持軸を介して前記第１デフレクタを支持し、前記第１支持軸を中心にして前記第１デフレクタを回動可能に構成する一方、前記第１デフレクタの上面に横方向に延びるように第２支持軸を固着し、前記第１デフレクタに第２支持軸を介して前記第２デフレクタを支持し、前記第２支持軸を中心にして前記第２デフレクタを前後方向に回動可能に構成したことを特徴としている。
【０００７】
【０００８】
【０００９】
【発明の効果】
【００１０】
前記走行機体を前進走行するとき前記ロータリーモアにて刈り取られた芝草は、芝草排出ダクトを介してその後端におけるデフレクタに導かれ、このデフレクタにおける芝草放出口から前記走行機体の後方における地面に散布される。
【００１１】
この場合、前記デフレクタにおける芝草放出口を左右方向に移動することで、地面に対する芝草の散布位置を、右側にしたり、左側にしたりするように、左右方向の任意の位置に自在に変更することができる。
【００１２】
また、前記デフレクタにおける芝草放出口を前後方向に移動することで、地面に対する芝草の散布位置を、走行機体に近づけたり走行機体から遠ざけたりするように、前後方向の任意の位置に自在に変更することができる。
【００１３】
更にまた、前記デフレクタにおける芝草放出口を左右方向に移動することと左右方向に移動することを合わせることで、地面に対する芝草の散布位置を、右側で前側の位置、右側で後側の位置、左側で前側の位置及び左側で後側の位置にて囲まれた範囲内における任意の位置に自在に変更することができる。
【００１４】
つまり、本発明によると、刈り取った芝草の地面に対する散布位置を変更することができるから、芝草を走行機体の後方において地面に散布しながら刈取作業を行う場合に、例えば、道路際における芝刈り時に芝草を道路面に飛散しないとするように、特定の箇所への芝草の飛散を避けるようにすることが確実にできる効果を有する。
【００１５】
【発明を実施するための最良の形態】
【００１６】
以下、本発明の実施の形態を、図１〜図３の図面について説明する。
【００１７】
この図において、符号１は、左右一対の前車輪２と、同じく左右一対の後車輪３とで支持された走行機体を示し、この走行機体１の前部上面には、エンジン４が搭載されているとともに、前記両前車輪２を同時に回動して方向変換するための操縦ハンドル５が設けられ、また、前記走行機体１の後部上面には、作業者が座る操縦座席６と、前記両後車輪３に対するフェンダー７とが設けられ、更に、前記走行機体１における中程部の上面には、ステップ台８が設けられている。
【００１８】
また、前記走行機体１における下面側で、且つ、前記両前車輪２と両後車輪３との間には、左右一対の回転式刈り刃９ａ、９ｂを備えたロータリーモア９が、上下動可能に装着されている。なお、ロータリーモア９の上下動機構は省略している。
【００１９】
前記エンジン４における動力を、ベルト式動力伝達機構１０を介して前記ロータリーモア９における両回転式刈り刃９ａ、９ｂに伝達して、前記両回転式刈り刃９ａ、９ｂを矢印で示すように互いに逆方向に回転駆動することにより、芝草の刈取を行うように構成している。
【００２０】
また、前記走行機体１における後部下面側には、前記両回転式刈り刃９ａ、９ｂにて刈った芝草を後方に排出する芝草排出ダクト１１が、前記両後車輪３間を後方に延びるように設けられており、この芝草排出ダクト１１は、その全長にわたって矩形の断面であり、且つ、その天井板１１ａは、後方に向かって斜め上向きに傾斜している。
【００２１】
そして、前記芝草排出ダクト１１の後端には、当該芝草排出ダクト１１からの芝草を受け入れたのち下面の芝草放出口１３より地面に放出するようにしたデフレクタ１２を配設する。
【００２２】
このデフレクタ１２を、前記芝草排出ダクト１１の後端に被嵌するように末広がりの梯形断面の筒型に構成した第１デフレクタ１４と、下面に前記芝草放出口１３を有する第２デフレクタ１５とで構成する。
【００２３】
前記第１デフレクタ１４を、前記走行機体１に前記芝草排出ダクト１１の上面に沿って後方に突出するように固着した第１支持軸１６にて回動自在に支持することにより、前記芝草排出ダクト１１の後端に被嵌した状態で、前記芝草排出ダクト１１の回りに回動するように構成する。なお、前記第１支持軸１６は、前記芝草排出ダクト１１に固着する構成にしても良い。
【００２４】
一方、前記第２デフレクタ１５を、前記第１デフレクタ１４の後端に当該第１デフレクタ１４における後端開口部を塞ぐように被嵌し、その上面において、前記デフレクタ１４の上面に横方向に延びるように固着した第２支持軸１７にて回動自在に支持することにより、走行機体１に対して前後方向に回動するように構成する。
【００２５】
なお、前記第１デフレクタ１４における第１支持軸１６を中心としての回動操作、及び前記第２デフレクタ１５における第２支持軸１７を中心としての回動操作は、図示していないがこれらに適宜設けたハンドル等にて、作業者が前記操縦座席６に着座した状態で行うことができるように構成されていることはいうまでもない。
【００２６】
この構成において、刈取り作業は、走行機体１を前進走行した状態で、ロータリーモア９における両回転式刈り刃９ａ、９ｂを矢印で示すように互いに逆方向に回転駆動することによって行う。
【００２７】
前記ロータリーモア９にて刈り取られた芝草は、芝草排出ダクト１１を介してその後端におけるデフレクタ１２に導かれ、このデフレクタ１２における芝草放出口１３から前記走行機体１の後方における地面１８に散布される。
【００２８】
この場合において、前記デフレクタ１２における第１デフレクタ１４を、図３に矢印Ａで示すように、その第１支持軸１６を中心にして回動することにより、前記デフレクタ１２における芝草放出口１３が、走行方向に対して左右に移動するから、地面１８に対する芝草の散布位置を、図３に一点鎖線及び二点鎖線で示すように、右側にしたり、左側にしたりするように、左右方向の任意の位置に自在に変更することができる。
【００２９】
また、前記デフレクタ１２における第２デフレクタ１５を、図１に矢印Ｂで示すように、その第２支持軸１７を中心にして回動することにより、前記デフレクタ１２における芝草放出口１３が走行方向に対して前後に移動するから、地面１８に対する芝草の散布位置を、図１に実線と二点鎖線とで示すように、走行機体１に近づけたり走行機体１から遠ざけたりするように、前後方向の任意の位置に自在に変更することができる。
【００３０】
更にまた、前記第１デフレクタ１４を第１支持軸１６を中心にして回動することと、前記第２デフレクタ１５を第２支持軸１７を中心にして回動することとを合わせることにより、地面１８に対する芝草の散布位置を、右側で前側の位置、右側で後側の位置、左側で前側の位置及び左側で後側の位置にて囲まれた範囲内における任意の位置に自在に変更することができる。
【図面の簡単な説明】
【００３１】
【図１】芝刈機の側面図である。
【図２】芝刈機の平面図である。
【図３】図１のIII −III 視拡大断面図である。
【符号の説明】
【００３２】
１                  走行機体
２                  前車輪
３                  後車輪
４                  エンジン
５                  操縦ハンドル
６                  操縦座席
９                  ロータリーモア
１１                芝草排出ダクト
１２                デフレクタ
１３                芝草放出口
１４                第１デフレクタ
１５                第２デフレクタ
【図１】
0004817439.tif 000002
【図２】
0004817439.tif 000003
【図３】
0004817439.tif 000004